(57)【特許請求の範囲】
【請求項１】
背面側から入射した光を透過する透過部、及び、前面側から入射した光を反射する反射部を有する画素が行列状に２次元配置され、複数の視差映像を表示可能な半透過型表示部と、
前記半透過型表示部によって表示された複数の視差映像を観察者に対して立体的に知覚することを可能にする光学部品とを備え、
前記画素の前記透過部及び前記反射部は、画素中心に関して行方向において対称に設けられており、
前記画素において、前記透過部が画素中央部に設けられ、前記反射部が前記透過部を挟んでその両側に設けられている
立体映像表示装置。
【請求項２】
前記半透過型表示部は、前記画素の前記前面側に設けられたカラーフィルタを有し、
前記カラーフィルタには、前記画素の前記反射部に対向する位置に透明段差層が設けられている
請求項１に記載の立体映像表示装置。
【請求項３】
背面側から入射した光を透過する透過部、及び、前面側から入射した光を反射する反射部を有する画素が行列状に２次元配置され、複数の視差映像を表示可能な半透過型表示部と、
前記半透過型表示部によって表示された複数の視差映像を観察者に対して立体的に知覚することを可能にする光学部品とを備え、
前記画素の前記透過部及び前記反射部は、画素中心に関して行方向において対称に設けられており、
前記画素において、前記反射部が画素中央部に設けられ、前記透過部が前記反射部を挟んでその両側に設けられている
立体映像表示装置。
【請求項４】
前記半透過型表示部は、前記画素の前記前面側に設けられたカラーフィルタを有し、
前記カラーフィルタには、前記画素の前記反射部に対向する位置に透明段差層が設けられている
請求項３に記載の立体映像表示装置。
【請求項５】
前記光学部品は、前記半透過型表示部よりも観察者側に配置されている
請求項１又は請求項３に記載の立体映像表示装置。
【請求項６】
前記光学部品は、パララックスバリアである
請求項５に記載の立体映像表示装置。
【請求項７】
前記光学部品は、液晶方式のパララックスバリアである
請求項６に記載の立体映像表示装置。
【請求項８】
前記光学部品は、レンチキュラーレンズである
請求項５に記載の立体映像表示装置。
【請求項９】
前記光学部品は、液晶レンズであり、
前記液晶レンズは、液晶に電圧を印加する状態と印加しない状態で、レンズ効果が生じる状態とレンズ効果が生じない状態を切り替えることができる
請求項５に記載の立体映像表示装置。
【請求項１０】
背面側から入射した光を透過する透過部、及び、前面側から入射した光を反射する反射部を有する画素が行列状に２次元配置され、複数の視差映像を表示可能な半透過型表示部と、
前記半透過型表示部によって表示された複数の視差映像を観察者に対して立体的に知覚することを可能にする光学部品とを備え、
前記画素の前記透過部及び前記反射部は、画素中心に関して行方向において対称に設けられており、
前記画素において、前記透過部が画素中央部に設けられ、前記反射部が前記透過部を挟んでその両側に設けられている
立体映像表示装置を有する電子機器。
【請求項１１】
背面側から入射した光を透過する透過部、及び、前面側から入射した光を反射する反射部を有する画素が行列状に２次元配置され、複数の視差映像を表示可能な半透過型表示部と、
前記半透過型表示部によって表示された複数の視差映像を観察者に対して立体的に知覚することを可能にする光学部品とを備え、
前記画素の前記透過部及び前記反射部は、画素中心に関して行方向において対称に設けられており、
前記画素において、前記反射部が画素中央部に設けられ、前記透過部が前記反射部を挟んでその両側に設けられている
立体映像表示装置を有する電子機器。
【発明の詳細な説明】
【技術分野】
【０００１】
本発明は、立体映像表示装置及び電子機器に関し、特に、両眼視差を利用する立体映像表示装置、及び、当該立体映像表示装置を有する電子機器に関する。
【背景技術】
【０００２】
右眼と左眼の網膜に映る像の違い（差）、即ち、両眼視差から奥行きを知覚することができる。そして、両眼視差を利用した立体映像表示装置が広く知られている。この両眼視差を利用した立体映像表示装置によれば、液晶表示装置等の平面型表示装置（平面型表示パネル／フラットパネル）によって表示された映像を、観察者が奥行きを感じることができる画像、即ち、立体画像（３次元画像／３Ｄ画像）として知覚することができる。
【０００３】
近年、両眼視差を利用した立体映像表示装置として、観察者（視聴者）が専用のメガネを装着しなくても裸眼で立体画像を知覚することができる裸眼式立体映像表示装置の開発が進められている。そして、裸眼式立体映像表示装置には、表示パネルによって表示された右眼用の映像及び左眼用の映像を立体的に知覚することを可能にする方式には、パララックス（視差）バリア方式やレンチキュラーレンズ方式等がある。
【０００４】
一例として、パララックスバリア方式の原理について説明する。尚、パララックスバリア方式は、２視差（２眼）方式、多視差（多眼）方式などに分類される。ここでは、２視差方式を例に挙げてパララックスバリア方式の原理の概略について、図２８を用いて説明する。
【０００５】
先ず、表示パネル５１の行列状の画素配列において、各画素は画素列の単位で、右眼用の映像を表示する右眼用の画素Ｒと、左眼用の映像を表示する左眼用の画素Ｌとに分類される。具体的には、各画素は、右眼用の画素Ｒの画素列と左眼用の画素Ｌの画素列とが交互に配列された画素配列となっている。
【０００６】
そして、右眼用の画素Ｒには画素列単位で右眼用の信号源５２Rから右眼用の映像信号が供給され、左眼用の画素Ｌには画素列単位で左眼用の信号源５２Lから左眼用の映像信号が供給される。これにより、表示パネル５１上には、右眼用の映像と左眼用の映像とを表示することができる。因みに、信号源５２R，５２Lの各映像信号については、左眼用と右眼用の２台のカメラによる同時撮影や、１つの映像信号を基にコンピュータ処理などを行うことによって生成することができる。
【０００７】
また、表示パネル５１の前方側には、表示パネル５１によって表示された右眼用の映像及び左眼用の映像を立体的に知覚することを可能にする光学部品として、パララックスバリア５３が配置される。そして、表示パネル５１によって表示された右眼用の映像及び左眼用の映像を、パララックスバリア５３を介して、表示パネル５１から所定の距離だけ離れた位置で観察することにより、観察者の左右の眼に左眼用の映像と右眼用の映像として入射する。その結果、両眼視差が発生し、液晶パネル５１に表示された映像を立体的に、即ち、立体画像として知覚することができる。
【０００８】
ところで、両眼視差を利用する立体映像表示装置の中には、平面型表示装置（フラットパネル）として半透過型液晶表示装置（液晶パネル）を用いるものがある（例えば、特許文献１参照）。周知の通り、半透過型液晶表示装置は、外光とバックライトの両方を光源として利用する、所謂、反射型と透過型を融合した、換言すれば、反射型構造と透過型構造の両方を実装した液晶表示装置である。
【０００９】
半透過型液晶表示装置は、屋内等の暗い環境下、屋外等の明るい環境下のいずれの環境下においても視認性に優れているため、携帯電話機等のモバイル用途の平面型表示装置として広く用いられている。そして、半透過型液晶表示装置は、画面を構成する最小単位である１つの画素内、あるいは、カラー表示対応の場合には１つの画素を構成する複数の副画素内に、外光を光源として表示を行う反射部と、バックライトを光源として表示を行う透過部とを有する構成となっている。
【００１０】
図２９に、平面型表示装置として半透過型液晶表示装置を用いた、従来例に係る立体映像表示装置の構成の概略を示す。ここでは、表示パネルによって表示された右眼用の映像及び左眼用の映像を立体的に知覚することを可能にする光学部品として、例えばパララックスバリアを用いたパララックスバリア方式の立体映像表示装置の場合を例に挙げて示している。
【００１１】
図２９に示すように、従来例に係る立体映像表示装置６０は、半透過型液晶パネル６１、半透過型液晶パネル６１の前面に配されたパララックスバリア６２、及び、透過型液晶パネル６１の背面に配されたバックライト６３を有する構成となっている。
【００１２】
半透過型液晶パネル６１は、２枚のガラス基板６１１，６１２及びこれらガラス基板６１１，６１２間の密閉空間に封入された液晶層６１３を有している。そして、立体画像の表示を実現するために、右眼用の映像と左眼用の映像を形成すべく、右眼用の画素Ｒと左眼用の画素Ｌとが画素列の単位で交互に配置される。
【００１３】
図３０に、半透過型液晶パネル６１のある１つの画素についての断面構造を示す。図３０は、図３１（Ａ）のＸ−Ｘ′線に沿った断面図である。図３０において、画素７０は、バックライト６３を光源とし、当該バックライト６３からの照射光によって表示を行う透過部７１と、外光を光源とし、当該外光を反射することによって表示を行う反射部７２とを有している。
【００１４】
具体的には、画素トランジスタ７３を含む画素回路が形成された一方のガラス基板６１１の内面には絶縁膜６１４を介して、反射部７２に対応して凹凸拡散面が形成された光拡散層６１５が設けられている。この光拡散層６１５の上には、透過部７１に対応して透明電極からなる画素電極６１６が画素単位で設けられ、更に、反射部７２に対応して凹凸拡散面の上に反射電極６１７が設けられている。
【００１５】
他方のガラス基板６１２の内面には、カラーフィルタ（透過部／反射部）６１８が設けられている。このカラーフィルタ６１８上の反射部７２に対応する部位には、位相差層としての透明段差層６１９が設けられている。更に、カラーフィルタ６１８及び透明段差層６１９の上には、対向電極６２０が全画素共通に設けられている。尚、反射部７２には、反射電極６１７と透明段差層１９との間の液晶層６１３の厚みを一定にするために柱状スペーサ６２１が配されている。
【００１６】
上記構成の半透過型液晶パネル６１において、ガラス基板６１１の表示裏面上、即ちバックライト６３側の面上には、位相差板６４及び偏光板６５がその順に設けられている。ガラス基板６１２の表示面上にも、位相差板６６及び偏光板６７がその順に設けられている。
【００１７】
図３１（Ａ）に、従来例に係る立体映像表示装置６０におけるカラー表示対応の場合の画素の構成例を示す。画面を構成する最小単位である１つの画素７０は、例えば、赤色（Ｒ）、緑色（Ｇ）、青色（Ｂ）の３つの副画素７０R，７０G，７０Bによって構成されている。画素７０は、例えば矩形の形状をなしている。この矩形形状の画素７０において、反射部７２は、透過部７１によりも小さい面積を有し、矩形の一辺にその辺に沿って形成されている。
【００１８】
図２９に説明を戻す。パララックスバリア６２は、例えば液晶方式を採っている。具体的には、パララックスバリア６２は、２枚のガラス基板６２１，６２２及びこれらガラス基板６２１，６２２間の密閉空間に封入された液晶層６２３を有している。ガラス基板６２１，６２２の一方には、半透過型液晶パネル６１の画素配列の列方向（垂直方向）に沿ってストライプ状の電極が一定の間隔で形成され、その他方には、液晶層６２３を介して対向電極が形成されている。
【００１９】
この液晶方式のパララックスバリア６２において、ストライプ状の電極と対向電極との間に電圧を印加すると、ストライプ状の電極に対応してストライプ状に遮光部（バリア）が一定の間隔で形成される。そして、これら遮光部の間が透過部となる。これにより、液晶方式のパララックスバリア６２は、液晶パネル６１によって表示された映像を立体的に知覚することを可能にする光学部品としての機能を持つ。換言すれば、ストライプ状の電極と対向電極との間に電圧を印加することによって３次元画像の表示を実現できる。
【００２０】
逆に、ストライプ状の電極と対向電極との間に電圧を印加しないときは、液晶層６２３は全面に亘って透過状態（透過部）となる。この場合は、液晶方式のパララックスバリア６２は、半透過型液晶パネル６１によって表示された右眼用の映像及び左眼用の映像を立体的に知覚することを可能にする光学部品としての機能を持たない。従って、ストライプ状の電極と対向電極との間に電圧を印加しないときは、３次元画像の表示ではなく、通常の２次元画像の表示となる。
【００２１】
図３１（Ｂ）に、ある画素行における右眼用、左眼用の画素Ｒ，Ｌの配列とパララックスバリア６２の遮光部（バリア）６２４との相対的な位置関係を示す。パララックスバリア６２のピッチは、画素のＬＲ組み合わせのピッチにほぼ等しいが、厳密には、眼間（例えば、６５ｍｍ）の間で３Ｄ画像がパネル面内どこでも見えるようにするために、若干、画素のＬＲ組み合わせのピッチに比べて小さいピッチとなるように設計される。そして、パララックスバリア６２は、遮光部６２４が例えば画素７０の中心に対応する部位に位置するように設けられる。
【先行技術文献】
【特許文献】
【００２２】
【特許文献１】特開２００５−３１６１２６号公報
【発明の概要】
【発明が解決しようとする課題】
【００２３】
上述したように、従来例に係る画素７０は、反射部７２が画素７０の一辺側に偏った状態で、即ち、反射部７２が透過部７１に対して偏った状態で設けられた画素構成となっている。従って、パララックスバリア６２を、遮光部６２４が画素７０の中心に対応する部位に位置するように設けると、パララックスバリア６２の透過部６２５の中心位置に関して、画素７０の透過部７１と反射部７２が非対称な配置となる。
【００２４】
これにより、透過部７１と反射部７２とで観察者の視点位置がずれ、当該視点位置に関して透過部７１と反射部７２とが非対称な配置となる。例えば、画素７０の中心位置にパララックスバリア６２の遮光部６２４の中心位置を合わせると、図３２に示すように、これら中心位置の正面で観察した場合、その観察位置に対して透過部７１、反射部７２とも最適な配置とならない。
【００２５】
具体的には、右眼用の画素Ｒの透過部７１を透過した輝度情報及び反射部７２で反射した輝度情報と、左眼用の画素Ｌの透過部７１を透過した輝度情報及び反射部７２で反射した輝度情報とが観察者の左右の眼に均等に入射されずに、左右非対称となってしまう。これにより、例えば、右眼用の輝度情報が左眼用の輝度情報に混じって左眼に入射する、所謂、クロストークが発生する。このクロストークの発生は、立体的な知覚の妨げとなるため、立体画像の視認性を悪化させる。
【００２６】
そこで、本発明は、半透過型液晶表示装置を用いるに当たり、右眼用及び左眼用の各輝度情報を両眼で均等に知覚できるようにすることで、立体画像の視認性の向上を図った立体映像表示装置、及び、当該立体映像表示装置を有する電子機器を提供することを目的とする。
【課題を解決するための手段】
【００２７】
上記目的を達成するために、本発明は、
背面側から入射した光を透過する透過部、及び、前面側から入射した光を反射する反射部を有する画素が行列状に２次元配置され、複数の視差映像を表示可能な半透過型表示部と、
前記半透過型表示部によって表示された複数の視差映像を観察者に対して立体的に知覚することを可能にする光学部品と
を備えた立体映像表示装置において、
前記画素の前記透過部及び前記反射部を、画素中心に関して行方向において対称に、即ち、左右対称に設けた
構成を採っている。
【００２８】
半透過型液晶パネルを用いた立体映像表示装置において、複数の視差映像、例えば、右眼用の映像は右眼用の画素によって表示され、左眼用の映像は左眼用の画素によって表示される。ここで、画素の透過部及び反射部を、画素中心に関して左右対称に設けることで、右眼用の画素の透過部を透過した輝度情報及び反射部で反射した輝度情報と、左眼用の画素の透過部を透過した輝度情報及び反射部で反射した輝度情報とが観察者の両眼に均等に入射する。すなわち、観察者の両眼に入射する右眼用及び左眼用の各輝度情報が左右均等となる。これにより、観察者は、右眼用及び左眼用の各輝度情報を両眼で均等に知覚できる。
【発明の効果】
【００２９】
本発明によれば、半透過型表示部を用いた立体映像表示装置において、右眼用及び左眼用の各輝度情報を両眼で均等に知覚できるようにすることができるため、立体画像の視認性を向上できる。
【図面の簡単な説明】
【００３０】
【図１】本発明の第１実施形態に係る立体映像表示装置の構成の概略を示す断面図である。
【図２】第１実施形態に係る立体映像表示装置におけるカラー表示対応の場合の、実施例１に係る画素構成例（Ａ）、及び、右眼用、左眼用の画素Ｒ，Ｌの配列とパララックスバリアの遮光部との相対的な位置関係（Ｂ）を示す図である。
【図３】実施例１に係る画素構成の断面構造を示す、図２（Ａ）のＸ−Ｘ′線に沿った断面図である。
【図４】実施例１に係る画素構成の場合における右眼、左眼に対する透過光及び反射光の関係を示す図である。
【図５】第１実施形態に係る立体映像表示装置におけるカラー表示対応の場合の、実施例２に係る画素構成例（Ａ）、及び、右眼用、左眼用の画素Ｒ，Ｌの配列とパララックスバリアの遮光部との相対的な位置関係（Ｂ）を示す図である。
【図６】実施例２に係る画素構成の断面構造を示す、図５（Ａ）のＸ−Ｘ′線に沿った断面図である。
【図７】実施例２に係る画素構成の場合における右眼、左眼に対する透過光及び反射光の関係を示す図である。
【図８】第１実施形態に係る立体映像表示装置におけるカラー表示対応の場合の、実施例３に係る画素構成例（Ａ）、及び、右眼用、左眼用の画素Ｒ，Ｌの配列とパララックスバリアの遮光部との相対的な位置関係（Ｂ）を示す図である。
【図９】実施例３に係る画素構成の断面構造を示す、図８（Ａ）のＸ−Ｘ′線に沿った断面図である。
【図１０】実施例３に係る画素構成の断面構造を示す、図８（Ａ）のＹ−Ｙ′線に沿った断面図である。
【図１１】実施例３に係る画素構成の場合における右眼、左眼に対する透過光及び反射光の関係を示す図である。
【図１２】第１実施形態に係る立体映像表示装置１０Aにおけるカラー表示対応の場合の、実施例４に係る画素構成例（Ａ）、及び、右眼用、左眼用の副画素Ｒ，Ｌの配列とパララックスバリアの遮光部との相対的な位置関係（Ｂ）を示す図である。
【図１３】実施例４に係る画素構成の断面構造を示す、図１２（Ａ）のＺ−Ｚ′線に沿った断面図である。
【図１４】実施例４に係る画素構成の場合における右眼、左眼に対する透過光及び反射光の関係を示す図である。
【図１５】第１実施形態に係る立体映像表示装置１０Aにおけるカラー表示対応の場合の、実施例５に係る画素構成例（Ａ）、パララックスバリアの構成例（Ｂ）、及び、右眼用、左眼用の副画素Ｒ，Ｌの配列とパララックスバリアの遮光部との相対的な位置関係（Ｃ）を示す図である。
【図１６】実施例５に係る画素構成の場合における右眼、左眼に対する透過光及び反射光の関係を示す図である。
【図１７】本発明の第２実施形態に係る立体映像表示装置の構成の概略を示す断面図である。
【図１８】第２実施形態に係る立体映像表示装置におけるカラー表示対応の場合の、実施例１に係る画素構成例（Ａ）、及び、右眼用、左眼用の画素Ｒ，Ｌの配列とレンチキュラーレンズとの相対的な位置関係（Ｂ）を示す図である。
【図１９】実施例１に係る画素構成の場合における右眼、左眼に対する透過光及び反射光の関係を示す図である。
【図２０】光学部品として液晶レンズを用いた実施例２に係る立体映像表示装置の構成の概略を示す断面図である。
【図２１】液晶レンズ方式の立体映像表示装置におけるカラー表示対応の場合の、実施例２に係る画素構成例（Ａ）、及び、右眼用、左眼用の画素Ｒ，Ｌの配列と液晶レンズとの相対的な位置関係（Ｂ）を示す図である。
【図２２】実施例２に係る画素構成の場合における右眼、左眼に対する透過光及び反射光の関係を示す図である。
【図２３】本発明が適用されるテレビジョンセットの外観を示す斜視図である。
【図２４】本発明が適用されるデジタルカメラの外観を示す斜視図であり、（Ａ）は表側から見た斜視図、（Ｂ）は裏側から見た斜視図である。
【図２５】本発明が適用されるノート型パーソナルコンピュータの外観を示す斜視図である。
【図２６】本発明が適用されるビデオカメラの外観を示す斜視図である。
【図２７】本発明が適用される携帯電話機を示す外観図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。
【図２８】パララックスバリア方式の原理の概略についての説明図である。
【図２９】平面型表示装置として半透過型液晶表示装置を用いた、従来例に係る立体映像表示装置の構成の概略を示す断面図である。
【図３０】従来例に係る半透過型液晶パネルのある１つの画素についての断面構造を示す断面図である。
【図３１】従来例に係る立体映像表示装置におけるカラー表示対応の場合の画素の構成例（Ａ）、及び、ある画素行における右眼用、左眼用の画素Ｒ，Ｌの配列とパララックスバリアの遮光部との相対的な位置関係を示す図である。
【図３２】従来技術の課題を説明するための図である。
【発明を実施するための形態】
【００３１】
以下、発明を実施するための形態（以下、「実施形態」と記述する）について図面を用いて詳細に説明する。なお、説明は以下の順序で行う。
１．第１実施形態（パララックスバリア方式の例）
１−１．実施例１
１−２．実施例２
１−３．実施例３
１−４．実施例４
１−５．実施例５
２．第２実施形態（レンチキュラーレンズ方式の例）
２−１．実施例１
２−２．実施例２
３．変形例
４．適用例（電子機器）
【００３２】
＜１．第１実施形態＞
図１は、本発明の第１実施形態に係る立体映像表示装置の構成の概略を示す断面図である。本実施形態に係る立体映像表示装置は、表示パネルによって表示された複数の視差映像を立体的に知覚することを可能にする光学部品として、パララックスバリアを用いたパララックスバリア方式の立体映像表示装置である。
【００３３】
図１に示すように、本実施形態に係る立体映像表示装置１０Aは、半透過型表示部として、例えば半透過型液晶パネル１１を用いている。そして、半透過型液晶パネル１１の前面（観察者側）に配されたパララックスバリア１２、及び、透過型液晶パネル１１の背面に配されたバックライト１３を有する構成となっている。
【００３４】
半透過型液晶パネル１１は、ガラス基板等の２枚の透明基板（以下、「ガラス基板」と記述する）１１１，１１２及びこれらガラス基板１１１，１１２間の密閉空間に封入された液晶層１１３を有している。後述するように、ガラス基板１１１，１１２の内面には、液晶層１１３を挟んで画素電極と対向電極とが形成される。対向電極は、全画素共通に形成される。一方、画素電極は、画素単位で形成される。そして、立体画像の表示を実現するために、右眼用の映像と左眼用の映像を形成するように、右眼用、左眼用の画素Ｒ，Ｌが交互に配置される。
【００３５】
一方のガラス基板１１１上には、液晶パネル１１を駆動する駆動部を集積化した半導体チップ１４が例えばＣＯＧ(Chip On Glass)技術にて搭載されている。半導体チップ１４は、フレキシブルプリント基板（Flexible Printed Circuits；ＦＰＣ）１５を介して基板外部の制御系と電気的に接続される。
【００３６】
パララックスバリア１２は、例えば液晶方式を採用している。具体的には、パララックスバリア１２は、ガラス基板等の２枚の透明基板（以下、「ガラス基板」と記述する）１２１，１２２及びこれらガラス基板１２１，１２２間の密閉空間に封入された液晶層１２３を有している。
【００３７】
ガラス基板１２１，１２２の一方には、半透過型液晶パネル１１の画素配列の列方向（垂直方向）に沿ってストライプ状の電極が一定の間隔で形成され、その他方には、液晶層１２３を介して対向電極が形成される。また、ガラス基板１２１には、ストライプ状の電極と対向電極との間に印加するための電圧を基板外部から取り込むフレキシブルプリント基板１６が設けられている。
【００３８】
この液晶方式のパララックスバリア１２において、ストライプ状の電極と対向電極との間に電圧を印加すると、ストライプ状の電極に対応してストライプ状に遮光部（バリア）が一定の間隔で形成される。そして、これら遮光部の間が透過部となる。これにより、液晶方式のパララックスバリア１２は、液晶パネル１１に表示された画像を立体的に知覚することを可能にする光学部品としての機能を持つ。換言すれば、ストライプ状の電極と対向電極との間に電圧を印加することで、３次元画像の表示を実現できる。
【００３９】
逆に、ストライプ状の電極と対向電極との間に電圧を印加しないときは、液晶層１２３は全面に亘って透過状態となる。この場合、液晶方式のパララックスバリア１２は、半透過型液晶パネル１１によって表示された右眼用の映像及び左眼用の映像を立体的に知覚することを可能にする光学部品としての機能を持たない。従って、ストライプ状の電極と対向電極との間に電圧を印加しないときは、３次元画像の表示ではなく、通常の２次元画像の表示となる。
【００４０】
上記構成のパララックスバリア方式の立体映像表示装置１０Aにおいて、液晶パネル１１が半透過型液晶パネルであることから、画素（副画素）２０は、バックライト１３からの照射光によって表示を行う透過部と、外光を反射することによって表示を行う反射部とを有している。そして、本実施形態では、画素２０の透過部及び反射部を、画素中心に関して行方向（即ち、水平方向）において対称に、即ち、観察者（視聴者）の視認位置に対して左右対称に設ける構成を採っている。
【００４１】
立体映像表示装置では、右眼用の映像は右眼用の画素Ｒによって表示され、左眼用の映像は左眼用の画素Ｌによって表示される。従って、画素２０の透過部及び反射部を、画素中心に関して左右対称に設けることで、右眼用の画素Ｒの透過部を透過した輝度情報及び反射部で反射した輝度情報と、左眼用の画素Ｌの透過部を透過した輝度情報及び反射部で反射した輝度情報とが観察者の両眼に均等に入射する。すなわち、観察者の両眼に入射する右眼用及び左眼用の各輝度情報が左右均等となる。これにより、右眼用及び左眼用の各輝度情報を両眼で均等に知覚できるため、立体画像の視認性を向上できる。
【００４２】
以下に、第１実施形態に係るパララックスバリア方式の立体映像表示装置７０Aにおいて、画素２０の透過部及び反射部を、画素中心に関して左右対称に、即ち、観察者の視認位置に対して左右対称に設けるための具体的な実施例について説明する。
【００４３】
［１−１．実施例１］
図２は、第１実施形態に係る立体映像表示装置１０Aにおけるカラー表示対応の場合の実施例１に係る画素構成例（Ａ）、及び、右眼用、左眼用の画素Ｒ，Ｌの配列とパララックスバリアの遮光部との相対的な位置関係（Ｂ）を示す図である。
【００４４】
図２（Ａ）に示すように、画面を構成する最小単位である、実施例１に係る画素２０Aは、例えば、赤色（Ｒ）、緑色（Ｇ）、青色（Ｂ）の３原色の３つの副画素２０R，２０G，２０Bによって構成されている。画素２０Aは、例えば矩形の形状をなしている。従って、３つの副画素２０R，２０G，２０Bの各々は、行列状の画素配列の行方向に長い長方形の形状をなしている。
【００４５】
そして、実施例１に係る画素２０Aは、バックライト１３からの照射光によって表示を行う透過部２１と、外光を反射することによって表示を行う反射部２２A，２２Bとを、副画素２０R，２０G，２０B毎に有している。矩形形状の画素２０Aにおいて、反射部２２A，２２Bは、例えばトータルの面積として透過部２１よりも小さい面積を有しており、当該透過部２１を挟んで矩形の２辺に沿って左右対称に形成されている。
【００４６】
図３に、実施例１に係る半透過型液晶パネル１１Aのある１つの画素についての断面構造を示す。図３は、図２（Ａ）のＸ−Ｘ′線に沿った断面図である。図３において、画素２０Aは、バックライト１３を光源とし、当該バックライト１３からの照射光によって表示を行う透過部２１と、外光を光源とし、当該外光を反射することによって表示を行う反射部２２A，２２Bとを有している。上述したように、画素２０A内において、反射部２２A，２２Bは、透過部２１を真ん中にして当該透過部２１を挟んで左右対称に設けられている。
【００４７】
画素２０Aの構造についてより具体的に説明する。画素トランジスタ３５などを含む画素回路が形成された一方のガラス基板１１１の内面には絶縁膜１１４を介して、反射部２２A，２２Bに対応して両端部に凹凸拡散面が形成された光拡散層１１５が設けられている。この光拡散層１１５の上には、中央部の透過部２１に対応して透明電極からなる画素電極１１６が画素単位で設けられ、更に、両端部の反射部２２A，２２Bに対応して凹凸拡散面の上に反射電極１１７A，１１７Bが設けられている。
【００４８】
他方のガラス基板１１２の内面には、カラーフィルタ（透過部／反射部）１１８が設けられている。また、両端部の反射部２２A，２２Bに対応する部位には、透明段差層１１９A，１１９Bが設けられている。更に、カラーフィルタ１１８及び透明段差層１１９A，１１９Bの上には、対向電極１２０が全画素共通に設けられている。尚、反射部２２A，２２Bには、反射電極１１７A，１１７Bと透明段差層１１９A，１１９Bとの間の液晶層１１３の厚みを一定にするために柱状スペーサ１２１A，１２１Bが配されている。また、図示していないが、各基板１１１，１１２の最表面には、液晶を配向させるための配向膜が形成されている。
【００４９】
上記構成の実施例１に係る半透過型液晶パネル１１Aにおいて、ガラス基板１１１の表示裏面上、即ちバックライト１３側の面上には、位相差板３１及び偏光板３２がその順に設けられている。ガラス基板１１２の表示面上にも、位相差板３３及び偏光板３４がその順に設けられている。
【００５０】
先述したように、液晶方式のパララックスバリア１２において、ストライプ状の電極と対向電極との間に電圧を印加すると、図２（Ｂ）に示すように、ストライプ状の電極に対応してストライプ状に遮光部１２４が一定の間隔で形成される。そして、遮光部１２４，１２４間が透過部１２５となる。
【００５１】
図２（Ｂ）は、ある画素行における右眼用、左眼用の画素Ｒ，Ｌの配列とパララックスバリア１２の遮光部（バリア）１２４との相対的な位置関係を示しているパララックスバリア１２のピッチは、画素のＬＲ組み合わせのピッチにほぼ等しいが、厳密には、眼間（例えば、６５ｍｍ）の間で３Ｄ画像がパネル面内どこでも見えるようにするために、若干、画素のＬＲ組み合わせのピッチに比べて小さいピッチとなるように設計される。そして、パララックスバリア１２は、遮光部１２４が画素２０Aの中心、本例では画素２０Aの透過部２１の中心に対応する部位に位置し、透過部１２５が画素２０C，２０C間に対応する部位に位置するように設けられる。
【００５２】
上述したように、実施例１では、画素２０A内において、副画素２０R，２０G，２０Bの配列方向と直交する方向、即ち、行方向における中央部に透過部２１を設け、透過部２１を挟んでその両側に反射部２２A，２２Bを左右対称に設けた画素構成を採っている（図２（Ａ）を参照）。すなわち、透過部２１及び反射部２２A，２２Bは、画素２０A内において、画素中心に関して左右対称に設けられている。そして、パララックスバリア１２を、遮光部１２４が画素２０Aの中心に対応する部位に位置し、透過部１２５が画素２０C，２０C間に対応する部位に位置するように設けている（図２（Ｂ）を参照）。
【００５３】
このような実施例１に係る画素構成及び画素２０Aとパララックスバリア１２の遮光部１２４との相対的な位置関係によれば、図４に示すように、画素２０Aの透過部２１及び反射部２２A，２２Bが、観察者の視認位置に対して行方向において左右対称に設けられる。尚、観察者の両眼の位置が観察者の視認位置となる。以下においても同様である。
【００５４】
これにより、右眼用の画素Ｒの透過部２１Rを透過した輝度情報及び反射部２２R（２２A，２２B）で反射した輝度情報と、左眼用の画素Ｌの透過部２１Lを透過した輝度情報及び反射部２２L（２２A，２２B）で反射した輝度情報とが観察者の両眼に均等に入射する。すなわち、観察者の両眼に入射する右眼用及び左眼用の各輝度情報が左右均等となるため、クロストークを抑えることができる。その結果、右眼用及び左眼用の各輝度情報を両眼で均等に知覚できるため、立体画像の視認性を向上できる。
【００５５】
ここで、観察者の視認位置とは、図４において、立体映像表示装置１０Aの表示面から最適な視聴距離、即ち、適視距離Ａにおける観察者（視聴者）の両眼の位置を言う。人間の両眼の間隔Ｅは、一般的に、６０〜６５ｍｍ程度とされている。ここで、半透過型液晶パネル１１A及びパララックスバリア１２の厚み方向の中心間のギャップをＧ、画素のピッチをＰ、透明基板である例えばガラス基板の屈折率をｎ（≒１．５）とすると、適視距離Ａは、概ね、次式（１）で与えられる。
Ａ＝（Ｅ・Ｇ／ｎ）／Ｐ          ・・・（１）
【００５６】
［１−２．実施例２］
図５は、第１実施形態に係る立体映像表示装置１０Aにおけるカラー表示対応の場合の、実施例２に係る画素構成例（Ａ）、及び、右眼用、左眼用の画素Ｒ，Ｌの配列とパララックスバリアの遮光部との相対的な位置関係（Ｂ）を示す図である。図中、図２と同等部位には同一符号を付して示している。
【００５７】
図５（Ａ）に示すように、実施例２に係る画素２０Bも、実施例１に係る画素２０Aと同様に、例えば３つの副画素２０R，２０G，２０Bによって構成され、例えば矩形の形状をなしている。従って、３つの副画素２０R，２０G，２０Bの各々は、行列状の画素配列の行方向に長い長方形の形状をなしている。
【００５８】
そして、実施例２に係る画素２０Bは、バックライト１３からの照射光によって表示を行う透過部２１A，２１Bと、外光を反射することによって表示を行う反射部２２とを、副画素２０R，２０G，２０B毎に有している。矩形形状の画素２０Aにおいて、透過部２１A，２１Bは、例えばトータルの面積として反射部２２よりも大きい面積を有しており、当該反射部２２を挟んで矩形の２辺に沿って左右対称に形成されている。
【００５９】
図６に、実施例２に係る半透過型液晶パネル１１Bのある１つの画素についての断面構造を示す。図６は、図５（Ａ）のＸ−Ｘ′線に沿った断面図である。図６において、画素２０Bは、バックライト１３を光源とし、当該バックライト１３からの照射光によって表示を行う透過部２１A，２１Bと、外光を光源とし、当該外光を反射することによって表示を行う反射部２２とを有している。上述したように、画素２０B内において、透過部２１A，２１Bは、反射部２２を真ん中にして当該反射部２２を挟んで左右対称に設けられている。
【００６０】
画素２０Bの構造についてより具体的に説明する。画素トランジスタ３５などを含む画素回路が形成された一方のガラス基板１１１の内面には絶縁膜１１４を介して、反射部２２に対応して中央部に凹凸拡散面が形成された光拡散層１１５が設けられている。この光拡散層１１５の上には、両端部の透過部２１A，２１Bに対応して透明電極からなる画素電極１１６が画素単位で設けられ、更に、中央部の反射部２２に対応して凹凸拡散面の上に反射電極１１７が設けられている。
【００６１】
他方のガラス基板１１２の内面には、カラーフィルタ（透過部／反射部）１１８が設けられている。また、中央部の反射部２２に対応する部位には、透明段差層１１９が設けられている。更に、カラーフィルタ１１８及び透明段差層１１９の上には、対向電極１２０が全画素共通に設けられている。尚、反射部２２には、反射電極１１７と透明段差層１１９との間の液晶層１１３の厚みを一定にするために柱状スペーサ１２１が配されている。
【００６２】
上記構成の実施例１に係る半透過型液晶パネル１１Bにおいて、ガラス基板１１１の表示裏面上、即ちバックライト１３側の面上には、位相差板３１及び偏光板３２がその順に設けられている。ガラス基板１１２の表示面上にも、位相差板３３及び偏光板３４がその順に設けられている。
【００６３】
前にも述べたように、液晶方式のパララックスバリア１２において、ストライプ状の電極と対向電極との間に電圧を印加すると、図５（Ｂ）に示すように、ストライプ状の電極に対応してストライプ状に遮光部１２４が一定の間隔で形成される。そして、遮光部１２４，１２４間が透過部１２５となる。
【００６４】
図５（Ｂ）は、ある画素行における右眼用、左眼用の画素Ｒ，Ｌの配列とパララックスバリア１２の遮光部（バリア）１２４との相対的な位置関係を示している。図５（Ｂ）から明らかなように、パララックスバリア１２の遮光部１２４は、画素配列の行方向（水平方向）の画素ピッチと同じ間隔で形成される。そして、パララックスバリア１２は、遮光部１２４が画素２０Bの中心、本例では画素２０Bの反射部２２の中心に対応する部位に位置し、透過部１２５が画素２０C，２０C間に対応する部位に位置するように設けられる。
【００６５】
上述したように、実施例２では、画素２０B内において、副画素２０R，２０G，２０Bの配列方向と直交する方向、即ち、行方向における中央部に反射部２２を設け、反射部２２を挟んでその両側に透過部２１A，２１Bを左右対称に設けた画素構成を採っている（図５（Ａ）を参照）。すなわち、透過部２１A，２１B及び反射部２２は、画素２０B内において、画素中心に関して左右対称に設けられている。そして、パララックスバリア１２を、遮光部１２４が画素２０Bの中心に対応する部位に位置し、透過部１２５が画素２０C，２０C間に対応する部位に位置するように設けている（図５（Ｂ）を参照）。
【００６６】
このような実施例２に係る画素構成及び画素２０Bとパララックスバリア１２の遮光部１２４との相対的な位置関係によれば、図７に示すように、画素２０Bの透過部２１A，２１B及び反射部２２が、観察者の視認位置に対して行方向において左右対称に設けられる。
【００６７】
これにより、右眼用の画素Ｒの透過部２１R（２１A，２１B）を透過した輝度情報及び反射部２２Rで反射した輝度情報と、左眼用の画素Ｌの透過部２１L（２１A，２１B）を透過した輝度情報及び反射部２２Lで反射した輝度情報とが観察者の両眼に均等に入射する。すなわち、観察者の両眼に入射する右眼用及び左眼用の各輝度情報が左右均等となるため、クロストークを抑えることができる。その結果、右眼用及び左眼用の各輝度情報を両眼で均等に知覚できるため、立体画像の視認性を向上できる。観察者の視認位置については、実施例１の場合と同様である。
【００６８】
［１−３．実施例３］
図８は、第１実施形態に係る立体映像表示装置１０Aにおけるカラー表示対応の場合の、実施例３に係る画素構成例（Ａ）、及び、右眼用、左眼用の画素Ｒ，Ｌの配列とパララックスバリアの遮光部との相対的な位置関係（Ｂ）を示す図である。図中、図２と同等部位には同一符号を付して示している。
【００６９】
図８（Ａ）に示すように、実施例３に係る画素２０Cも、実施例１に係る画素２０Aと同様に、例えば３つの副画素２０R，２０G，２０Bによって構成され、例えば矩形の形状をなしている。従って、３つの副画素２０R，２０G，２０Bの各々は、行列状の画素配列の行方向に長い長方形の形状をなしている。
【００７０】
そして、実施例３に係る画素２０Cにおいて、バックライト１３からの照射光によって表示を行う透過部２１と、外光を反射することによって表示を行う反射部２２とが、副画素２０R，２０G，２０B毎に平行に設けられている。具体的には、透過部２１及び反射部２２は、副画素２０R，２０G，２０B毎に、これら副画素２０R，２０G，２０Bの配列方向と直交する方向、即ち、行列状の画素配列の行方向に沿って平行に形成されている。行列状の画素配列の行方向は、副画素２０R，２０G，２０Bの長辺方向でもある。従って、透過部２１及び反射部２２は、副画素２０R，２０G，２０Bの長辺方向に対して平行に配置されている。
【００７１】
図９及び図１０に、実施例３に係る半透過型液晶パネル１１Cのある１つの画素についての断面構造を示す。図９は、透過部２１の断面構造を示す、図８（Ａ）のＸ−Ｘ′線に沿った断面図である。図１０は、反射部２２の断面構造を示す、図８（Ａ）のＹ−Ｙ′線に沿った断面図である。
【００７２】
透過部２１の断面構造を示す図９において、画素トランジスタ３５などを含む画素回路が形成された一方のガラス基板１１１の内面には絶縁膜１１４を介して光拡散層１１５が設けられている。この光拡散層１１５の上には、透明電極からなる画素電極１１６が画素単位で設けられている。他方のガラス基板１１２の内面には、カラーフィルタ（透過部）１１８が設けられている。カラーフィルタ１１８の上には、対向電極１２０が全画素共通に設けられている。
【００７３】
反射部２２の断面構造を示す図１０において、光拡散層１１５の表面には凹凸拡散面が形成されており、この凹凸拡散面の上には反射電極１１７が設けられている。他方のガラス基板１１２の内面には、カラーフィルタ（反射部）１１８を介して、透明段差層１１９が設けられている。この透明段差層１１９の上には、対向電極１２０が全画素共通に設けられている。
【００７４】
図９及び図１０の対比から明らかなように、副画素２０R，２０G，２０Bは、反射部２２に対応する部位にカラーフィルタ１１８を介して形成された透明段差層１１９を有している。そして、この透明段差層１１９が存在する部分と存在しない部分とが、副画素２０R，２０G，２０Bの長辺方向に対して平行に配置された画素構成となっている。
【００７５】
上記構成の実施例３に係る半透過型液晶パネル１１Cにおいて、ガラス基板１１１の表示裏面上、即ちバックライト１３側の面上には、位相差板３１及び偏光板３２がその順に設けられている。ガラス基板１１２の表示面上にも、位相差板３３及び偏光板３４がその順に設けられている。
【００７６】
前にも述べたように、液晶方式のパララックスバリア１２において、ストライプ状の電極と対向電極との間に電圧を印加すると、図８（Ｂ）に示すように、ストライプ状の電極に対応してストライプ状に遮光部１２４が一定の間隔で形成される。そして、遮光部１２４，１２４間が透過部１２５となる。
【００７７】
図８（Ｂ）は、ある画素行における右眼用、左眼用の画素Ｒ，Ｌの配列とパララックスバリア１２の遮光部（バリア）１２４との相対的な位置関係を示している。パララックスバリア１２のピッチは、画素のＬＲ組み合わせのピッチにほぼ等しいが、厳密には、眼間（例えば、６５ｍｍ）の間で３Ｄ画像がパネル面内どこでも見えるようにするために、若干、画素のＬＲ組み合わせのピッチに比べて小さいピッチとなるように設計される。そして、パララックスバリア１２は、遮光部１２４が画素２０Cの中心に対応する部位に位置し、透過部１２５が画素２０C，２０C間に対応する部位に位置するように設けられる。
【００７８】
上述したように、実施例３では、画素２０C内において、透過部２１及び反射部２２を副画素２０R，２０G，２０B毎に、これら副画素２０R，２０G，２０Bの長辺に対して平行に設けた画素構成を採っている（図８（Ａ）を参照）。すなわち、透過部２１及び反射部２２は、画素２０C内において、画素中心に関して左右対称に設けられている。そして、パララックスバリア１２を、遮光部１２４が画素２０Bの中心に対応する部位に位置し、透過部１２５が画素２０C，２０C間に対応する部位に位置するように設けている（図８（Ｂ）を参照）。
【００７９】
このような実施例３に係る画素構成及び画素２０Cとパララックスバリア１２の遮光部１２４との相対的な位置関係によれば、図１１に示すように、画素２０Cの透過部２１及び反射部２２が、観察者の視認位置に対して行方向において左右対称に設けられる。
【００８０】
これにより、右眼用の画素Ｒの透過部２１Rを透過した輝度情報及び反射部２２Rで反射した輝度情報と、左眼用の画素Ｌの透過部２１Lを透過した輝度情報及び反射部２２Lで反射した輝度情報とが観察者の両眼に均等に入射する。すなわち、観察者の両眼に入射する右眼用及び左眼用の各輝度情報が左右均等となるため、クロストークを抑えることができる。その結果、右眼用及び左眼用の各輝度情報を両眼で均等に知覚できるため、立体画像の視認性を向上できる。
【００８１】
以上の説明から明らかなように、実施例１乃至実施例３では、光学部品であるパララックスバリア１２のストライプ方向（長手方向）と、半透過型液晶パネル１１（１１A，１１B，１１C，１１D）のカラーフィルタ１１８のストライプ方向とが直交する関係にある。そして、パララックスバリア１２において、遮光部１２４及び透過部１２５の組を１ユニットとするとき、当該１ユニットが半透過型液晶パネル１１の２画素につき１つ設けられていることになる。
【００８２】
［１−４．実施例４］
図１２は、第１実施形態に係る立体映像表示装置１０Aにおけるカラー表示対応の場合の、実施例４に係る画素構成例（Ａ）、及び、右眼用、左眼用の副画素Ｒ，Ｌの配列とパララックスバリアの遮光部との相対的な位置関係（Ｂ）を示す図である。図中、図２と同等部位には同一符号を付して示している。
【００８３】
図１２（Ａ）に示すように、実施例４に係る画素２０Dも、実施例１に係る画素２０Aと同様に、例えば３つの副画素２０R，２０G，２０Bによって構成され、例えば矩形の形状をなしている。従って、３つの副画素２０R，２０G，２０Bの各々は、行列状の画素配列の行方向に長い長方形の形状をなしている。
【００８４】
実施例１乃至実施例３では、画素２０（２０A，２０B，２０C）が、副画素２０R，２０G，２０Bの長辺方向が行列状の画素配列の行方向になるレイアウトとなっていた。これに対して、実施例４に係る画素２０Dは、副画素２０R，２０G，２０Bの長辺方向が行列状の画素配列の列方向になるレイアウトとなっている。すなわち、副画素２０R，２０G，２０Bが画素列の単位で行方向において繰り返して配列される画素配列の構成となっている。
【００８５】
そして、副画素２０R，２０G，２０B個々を単位とする画素配列において、副画素２０R，２０G，２０Bの画素列の単位で交互に右眼用の画素列と左眼用の画素列となる。すなわち、実施例１乃至実施例３では、副画素２０R，２０G，２０Bからなる画素２０の画素列の単位で交互に右眼用の画素列と左眼用の画素列となるのに対して、実施例４では副画素２０R，２０G，２０Bの画素列の単位で交互に右眼用の画素列と左眼用の画素列となる。副画素２０R，２０G，２０B個々において、反射部２２は例えば透過部２１よりも小さい面積を有し、例えば画素２０Dの下側、即ち、副画素２０R，２０G，２０B個々の下側に設けられる。
【００８６】
図１３に、実施例４に係る半透過型液晶パネル１１Dのある１つの画素についての断面構造を示す。図１３は、図１２（Ａ）のＺ−Ｚ′線に沿った断面図である。図１３と図３０との対比から明らかなように、実施例４に係る画素２０Dの構造、具体的には、透過部２１及び反射部２２の周辺の構造については、基本的に、従来例に係る画素の場合（図３０を参照）と同様である。
【００８７】
図１２（Ｂ）は、ある画素行における右眼用、左眼用の副画素Ｒ，Ｌの配列とパララックスバリア１２の遮光部１２４との相対的な位置関係を示している。図１２（Ｂ）から明らかなように、パララックスバリア１２の遮光部１２４は、副画素単位の画素配列の行方向（水平方向）の画素ピッチと同じ間隔で形成される。そして、パララックスバリア１２は、遮光部１２４及び透過部１２５が副画素２０R，２０G，２０Bの間に位置するように設けられる。
【００８８】
上述したように、実施例４では、副画素２０R，２０G，２０Bの個々を単位とする画素配列において、その画素列の単位で交互に右眼用の画素列と左眼用の画素列とする画素構成を採っている（図１２（Ａ）を参照）。そして、パララックスバリア１２を、遮光部１２４及び透過部１２５が副画素２０R，２０G，２０Bの間に位置するように設けている（図１２（Ｂ）を参照）。
【００８９】
このような実施例４に係る画素構成及び副画素２０R，２０G，２０Bとパララックスバリア１２の遮光部１２４との相対的な位置関係によれば、図１４に示すように、副画素２０R，２０G，２０Bの透過部２１及び反射部２２が、観察者の視認位置に対して行方向において左右対称に設けられる。
【００９０】
これにより、右眼用の画素Ｒの透過部２１Rを透過した輝度情報及び反射部２２Rで反射した輝度情報と、左眼用の画素Ｌの透過部２１Lを透過した輝度情報及び反射部２２Lで反射した輝度情報とが観察者の両眼に均等に入射する。すなわち、観察者の両眼に入射する右眼用及び左眼用の各輝度情報が左右均等となるため、クロストークを抑えることができる。その結果、右眼用及び左眼用の各輝度情報を両眼で均等に知覚できるため、立体画像の視認性を向上できる。
【００９１】
以上の説明から明らかなように、実施例４では、光学部品であるパララックスバリア１２のストライプ方向（長手方向）と、半透過型液晶パネル１１（１１D）のカラーフィルタ１１８のストライプ方向とが平行になる関係にある。そして、パララックスバリア１２において、遮光部１２４及び透過部１２５の組を１ユニットとするとき、当該１ユニットが半透過型液晶パネル１１の２色につき１つ設けられていることになる。
【００９２】
尚、以上説明した実施例１乃至実施例４では、画素２０（２０A〜２０D）の透過部２１（２１Ａ，２１Ｂ）及び反射部２２（２２Ａ，２２Ｂ）と、パララックスバリア１２の透過部１２５との相対的な位置関係は次のようになっている。すなわち、図２、図５、図８及び図１２から明らかなように、画素２０（２０A〜２０D）の透過部２１（２１Ａ，２１Ｂ）及び反射部２２（２２Ａ，２２Ｂ）は、パララックスバリア１２の透過部１２５の長軸方向に延びる中央線に関して線対称に設けられている。
【００９３】
［１−５．実施例５］
実施例１乃至実施例４では、２視差（２眼視差／２視点）方式を前提としているが、本実施形態は、２視差方式への適用に限られるものではなく、３視差以上の多視差方式にも適用可能である。多視差方式の一例として、４視差方式について実施例５として以下に説明する。
【００９４】
図１５は、第１実施形態に係る立体映像表示装置１０Aにおけるカラー表示対応の場合の、実施例５に係る画素構成例（Ａ）、パララックスバリアの構成例（Ｂ）、及び、右眼用、左眼用の副画素Ｒ，Ｌの配列とパララックスバリアの遮光部との相対的な位置関係（Ｃ）を示す図である。
【００９５】
図１５（Ａ）に示すように、実施例５に係る画素構成については、実施例４に係る画素２０Dと同じになっている。すなわち、画素２０Dは、副画素２０R，２０G，２０Bの長辺方向が行列状の画素配列の列方向になるレイアウトとなっている。より具体的には、副画素２０R，２０G，２０Bが行方向において繰り返して配列される画素配列の構成となっている。
【００９６】
実施例５に係る画素２０D、即ち、副画素２０R，２０G，２０Bの構造、具体的には、透過部２１及び反射部２２の周辺の構造についても、図１３に示す実施例４に係る画素画素２０Dと同じである。そして、副画素２０R，２０G，２０B個々を単位とする画素配列において、副画素２０R，２０G，２０Bの画素列の単位で交互に右眼用の画素列と左眼用の画素列となる。
【００９７】
この副画素２０R，２０G，２０B個々を単位とする画素配列に対して、２視差方式の実施例４の場合には、パララックスバリア１２は、縦ストライプの遮光部１２４及び透過部１２５が画素ピッチで交互に繰り返して配列された構成となっていた。
【００９８】
これに対して、４視差方式の実施例５の場合には、パララックスバリア１２は、図１５（Ｂ）に示すように、隣り合う４画素（副画素）を単位として、当該４画素のうちの隣り合う３画素分を遮光部１２４とし、残りの１画素分を透過部１２５としている。そして、単位となる４画素分の遮光部１２４及び透過部１２５が画素行毎に順に１画素分ずつシフトされた構造、所謂、オフセット構造となっている。
【００９９】
このオフセット構造を採るパララックスバリア１２を用いる方式は、ステップバリア方式と呼ばれている。このステップバリア方式の立体映像表示装置によれば、パララックスバリア１２のオフセット構造で視聴領域を分離し、解像度の低下を分散することができるために、２視差方式の場合に比べて水平方向の解像度を向上できる利点がある。
【０１００】
そして、このステップバリア方式の立体映像表示装置において、実施例５（即ち、実施例４）に係る画素構成の副画素の単位で交互に右眼用の画素列と左眼用の画素列とする画素構成（Ａ）に対して、オフセット構造のパララックスバリア１２（Ｂ）を重ね合わせるこのとき、図１５（Ｃ）に示すように、副画素の画素ピッチＰの１／２だけ行方向にずらした状態で重ね合わせる。尚、図１５（Ｃ）において、画素構成（Ａ）に対してパララックスバリア１２（Ｂ）を重ね合わせたときの相互の位置関係を明確にするために、パララックスバリア１２の遮光部１２４については、粗めの網掛けで図示している。
【０１０１】
この実施例５の構成によれば、実施例１乃至実施例４の場合と同様に、副画素２０R，２０G，２０Bの透過部２１及び反射部２２が、観察者の視認位置に対して行方向において左右対称に設けられる。すなわち、透過部２１及び反射部２２は、画素２０D内において、画素中心に関して左右対称に設けられている。これにより、図１６に示すように、視点(1)に右眼、視点(2)に左眼がくるように、頭の位置を配置した場合、次のような作用効果を得ることができる。
【０１０２】
すなわち、右眼用の画素Ｒの透過部２１Rを透過した輝度情報及び反射部２２Rで反射した輝度情報と、左眼用の画素Ｌの透過部２１Lを透過した輝度情報及び反射部２２Lで反射した輝度情報とが観察者の両眼に均等に入射する。すなわち、観察者の両眼に入射する右眼用及び左眼用の各輝度情報が左右均等となるため、クロストークを抑えることができる。その結果、右眼用及び左眼用の各輝度情報を両眼で均等に知覚できるため、立体画像の視認性を向上できる。
【０１０３】
尚、第１実施形態では、表示パネルによって表示された複数の視差映像を立体的に知覚することを可能にする光学部品として、液晶方式のパララックスバリア１２を用い、３次元画像の表示と２次元画像の表示とを選択できるようにしている。但し、液晶方式のパララックスバリア１２を用いる構成に限られるものではなく、３次元画像の表示だけの用途の場合には、遮光部（バリア）１２４を固定的に有するパララックスバリアを用いる構成をとることも可能である。
【０１０４】
＜２．第２実施形態＞
図１７は、本発明の第２実施形態に係る立体映像表示装置の構成の概略を示す断面図であり、図中、図１と同等部位には同一符号を付して示している。本実施形態に係る立体映像表示装置は、表示パネルによって表示された複数の視差映像を立体的に知覚することを可能にする光学部品として、レンチキュラーレンズを用いたレンチキュラーレンズ方式の立体映像表示装置である。
【０１０５】
図１７に示すように、本実施形態に係る立体映像表示装置１０Bは、半透過型表示部として、例えば半透過型液晶パネル１１を用いている。そして、半透過型液晶パネル１１の前面（観察者側）に配されたレンチキュラーレンズ３６、及び、透過型液晶パネル１１の背面に配されたバックライト１３を有する構成となっている。
【０１０６】
半透過型液晶パネル１１は、２枚の透明基板、例えばガラス基板１１１，１１２及びこれらガラス基板１１１，１１２間の密閉空間に封入された液晶層１１３を有している。第１実施形態の場合と同様に、ガラス基板１１１，１１２の内面には、液晶層１１３を挟んで画素電極と対向電極とが形成される。対向電極は全画素共通に形成され、画素電極は画素単位で形成される。そして、立体画像の表示を実現するために、右眼用の映像と左眼用の映像を形成するように、右眼用、左眼用の画素Ｒ，Ｌが交互に配置される。
【０１０７】
一方のガラス基板１１１上には、液晶パネル１１を駆動する駆動部を集積化した半導体チップ１４が例えばＣＯＧ技術にて搭載されている。半導体チップ１４は、フレキシブルプリント基板１５を介して基板外部の制御系と電気的に接続される。
【０１０８】
レンチキュラーレンズ３６は、かまぼこ型のストライプ状の凸レンズを一定ピッチで並べた透明レンズであり、左右の眼に別々の画像を見せて両眼視差を生じさせるという特性と、見える範囲を限定させるという特性とを有している。従って、半透過型液晶パネル１１の画素列のピッチ（画素ピッチ）とレンチキュラーレンズ３６のレンズピッチとを対応させ、半透過型液晶パネル１１の画素列の単位で縦長の右眼用の画像と左眼用の画像とを表示することにより、３次元画像の表示を実現できる。
【０１０９】
但し、レンチキュラーレンズ３６の場合、３次元画像を固定的に表示することになる。液晶方式パララックスバリア１２と同様に、３次元画像の表示と２次元画像の表示とを切り替え可能とするには、例えば液晶を用いてレンチキュラーレンズと同等の機能を選択的に作り出すことが可能な液晶レンズを用いる手法が考えられる（この手法については、後で実施例２として説明する）。
【０１１０】
また、固定レンズであるレンチキュラーレンズ３６の代わりに、特開２０１０−９５８４号公報に記載されているような、液晶レンズ（同公報の図９等を参照）や、液体レンズ（同公報の図３１等を参照）を用いることも可能である。
【０１１１】
上記構成のレンチキュラーレンズ方式の立体映像表示装置１０Bにおいて、液晶パネル１１の各画素（副画素）２０は、バックライト１３からの照射光によって表示を行う透過部と、外光を反射することによって表示を行う反射部とを有している。そして、本実施形態においても、第１実施形態の場合と同様に、画素２０の透過部及び反射部を、観察者の視認位置に対して行方向において対称に、即ち、画素中心に関して左右対称に設けた構成を採っている。
【０１１２】
画素２０の透過部及び反射部を、観察者の視認位置に対して左右対称に設けることで、右眼用の画素Ｒの透過部を透過した輝度情報及び反射部で反射した輝度情報と、左眼用の画素Ｌの透過部を透過した輝度情報及び反射部で反射した輝度情報とが観察者の両眼に均等に入射する。すなわち、観察者の両眼に入射する右眼用及び左眼用の各輝度情報が左右均等となる。これにより、右眼用及び左眼用の各輝度情報を両眼で均等に知覚できるために、立体画像の視認性を向上できる。
【０１１３】
また、レンチキュラーレンズ方式の立体映像表示装置１０Bの場合には、レンチキュラーレンズ３６には光を遮る部分が存在しないため、パララックスバリア方式の立体映像表示装置１０Aの場合に比べて、明るい表示を実現できる。
【０１１４】
画素２０の透過部及び反射部を、観察者（視聴者）の視認位置に対して左右対称に設けるための具体的な実施例としては、第１実施形態の実施例１乃至実施例４と基本的に同じ実施例が考えられる。
【０１１５】
因みに、レンズを用いて立体映像表示装置を構成する場合、各視点では、レンズを通して画素の一部分を見ることになる。レンズの焦点を画素上にほぼ合わせると、画素のほぼ一点（実際には、レンチキュラーレンズのため線）を見ることになる。そのため、表示パネルの画素構造が図３や図６のような構造の場合、レンズから出る３Ｄの光線は位置によって、ほぼ透過光のみだったり、ほぼ反射光のみだったりしてしまい、半透過型液晶パネルを用いた立体映像表示装置として、視認性が不十分になってしまう。
【０１１６】
一方、第１実施形態の実施例３で示したような、図９、図１０に示した半透過型構造では、レンズからどこの点（実際には、レンチキュラーレンズのため線）に焦点があっても、反射部、透過部がレンズを通して覗かれることになる。従って、半透過型液晶パネルを用いた立体映像表示装置として、十分な３次元画像の表示性能が得られる。
【０１１７】
以下では、第１実施形態の実施例１に対応する第２実施形態の実施例１について代表して説明するものとする。
【０１１８】
［２−１．実施例１］
図１８は、第２実施形態に係る立体映像表示装置１０Bにおけるカラー表示対応の場合の、実施例１に係る画素構成例（Ａ）、及び、右眼用、左眼用の画素Ｒ，Ｌの配列とレンチキュラーレンズとの相対的な位置関係（Ｂ）を示す図である。
【０１１９】
画面を構成する最小単位である実施例１に係る画素２０Aは、第１実施形態の実施例１に係る画素２０Aと同じである。すなわち、図１８（Ａ）に示すように、実施例１に係る画素２０Aは、例えば、Ｒ，Ｇ，Ｂの３つの副画素２０R，２０G，２０Bによって構成され、例えば矩形の形状をなしている。従って、３つの副画素２０R，２０G，２０Bの各々は、行列状の画素配列の行方向に長い長方形の形状をなしている。
【０１２０】
そして、実施例１に係る画素２０Aは、バックライト１３からの照射光によって表示を行う透過部２１と、外光を反射することによって表示を行う反射部２２A，２２Bとを、副画素２０R，２０G，２０B毎に有している。矩形形状の画素２０Aにおいて、反射部２２A，２２Bは、例えばトータルの面積として透過部２１よりも小さい面積を有しており、当該透過部２１を挟んで矩形の２辺に沿って左右対称に形成されている。
【０１２１】
図１８（Ｂ）は、ある画素行における右眼用、左眼用の画素Ｒ，Ｌの配列とレンチキュラーレンズ３６との相対的な位置関係を示している。図１８（Ｂ）から明らかなように、レンチキュラーレンズ３６は、かまぼこ型のストライプ状の凸レンズの各々が、隣り合う右眼用の画素Ｒの画素列と左眼用の画素Ｌの画素列の２つの画素列を単位として対応するように設けられる（２視差方式の場合）。
【０１２２】
上述したように、実施例１では、画素２０A内において、副画素２０R，２０G，２０Bの配列方向と直交する方向、即ち、行方向における中央部に透過部２１を設け、透過部２１を挟んでその両側に反射部２２A，２２Bを左右対称に設けた画素構成を採っている（図１８（Ａ）を参照）。すなわち、透過部２１及び反射部２２A，２２Bは、画素２０A内において、画素中心に関して左右対称に設けられている。そして、レンチキュラーレンズ３６を、１つのストライプ状の凸レンズが隣り合う左右の２つの画素列を単位として対応するように設けている（図１８（Ｂ）を参照）。
【０１２３】
このような実施例１に係る画素構成及び画素２０Aとレンチキュラーレンズ３６の個々の凸レンズとの相対的な位置関係によれば、図１９に示すように、画素２０Aの透過部２１及び反射部２２A，２２Bが、観察者の視認位置に対して行方向において左右対称に設けられる。
【０１２４】
これにより、右眼用の画素Ｒの透過部２１Rを透過した輝度情報及び反射部２２R（２２A，２２B）で反射した輝度情報と、左眼用の画素Ｌの透過部２１Lを透過した輝度情報及び反射部２２L（２２A，２２B）で反射した輝度情報とが観察者の両眼に均等に入射する。すなわち、観察者の両眼に入射する右眼用及び左眼用の各輝度情報が左右均等となるため、クロストークを抑えることができる。その結果、右眼用及び左眼用の各輝度情報を両眼で均等に知覚できるため、立体画像の視認性を向上できる。
【０１２５】
第２実施形態に係る立体映像表示装置１０Bにおいて、半透過型液晶パネル１１及びレンチキュラーレンズ３６の厚み方向の中心間のギャップをＧ、画素のピッチをＰ、ガラス基板の屈折率をｎとすると、適視距離Ａは、概ね、次式（２）で与えられる。
Ａ＝（Ｅ・Ｇ／ｎ）／Ｐ          ・・・（２）
【０１２６】
ここでは、第１実施形態の実施例１に対応する第２実施形態の実施例１について代表して説明したが、第１実施形態の実施例２乃至実施例４に対応する第２実施形態の実施例２乃至実施例４についても、基本的に、第１実施形態の場合と同じである。
【０１２７】
また、光学部品であるレンチキュラーレンズ３６のストライプ方向（長手方向）と、半透過型液晶パネル１１のカラーフィルタ１１８のストライプ方向との関係、及び、１ユニットと画素との関係についても、基本的に、第１実施形態の場合と同じである。レンチキュラーレンズ３６の場合、１つのストライプ状の凸レンズが１ユニットとなる。
【０１２８】
［２−２．実施例２］
図２０は、第２実施形態に係る立体映像表示装置において、光学部品として液晶レンズを用いた実施例２に係る立体映像表示装置の構成の概略を示す断面図であり、図中、図１と同等部位には同一符号を付して示している。
【０１２９】
本実施例２に係る立体映像表示装置は、表示パネルによって表示された複数の視差映像を立体的に知覚することを可能にする光学部品として、液晶レンズを用いた液晶レンズ方式の立体映像表示装置である。
【０１３０】
図２０において、レンチキュラーレンズ３６に代えて液晶レンズ３７を用いている以外は、基本的に、図１７の場合と同じ構成となっている。すなわち、液晶レンズ方式の立体映像表示装置１０B′は、半透過型液晶パネル１１、半透過型液晶パネル１１の前面（観察者側）に配された液晶レンズ３７、及び、透過型液晶パネル１１の背面に配されたバックライト１３を有する構成となっている。
【０１３１】
ここで、液晶レンズ３７は、液晶自体の屈折率分布でレンズ効果を生じる構成のものであり、液晶層に電圧を印加する状態と印加しない状態で、レンズ効果を生じる状態とレンズ効果が生じない状態を切り替え可能な構成となっている。すなわち、液晶レンズ方式の立体映像表示装置１０B′は、実施例１のレンチキュラーレンズ３６の効果を、液晶を使って実現することができる。また、液晶を使っているので、液晶層に電圧を印加しないときにはレンズ効果がなくなる。従って、液晶層に電圧を印加しない状態では、３次元画像の表示ではなく、２次元画像の表示を実現できる。
【０１３２】
また、同様な方法として、レンチキュラーレンズと液晶層とを組み合わせた構成を適用することも可能である。この方式においても、液晶層に印加する電圧によって２次元画像／３次元画像の表示を切り替えることが可能である。
【０１３３】
液晶レンズ３７を挟むガラス基板１２１，１２２の一方には、半透過型液晶パネル１１の画素配列の列方向（垂直方向）に沿ってストライプ状の電極が一定の間隔で形成され、その他方には対向電極が全面に亘って形成される。また、ガラス基板１２１には、液晶レンズ３７のストライプ状の電極と対向電極との間に印加するための電圧を基板外部から取り込むフレキシブルプリント基板１６が設けられている。
【０１３４】
この液晶レンズ３７において、ストライプ状の電極と対向電極との間に電圧を印加することにより、電極が存在する部分では液晶は立ち上がり、電極が存在しない部分では液晶は水平配向が保たれるため、屈折率の分布が生じ、レンズが実現される。そして、実施例１の場合と同様に、表示パネルによって表示された複数の視差映像を立体的に知覚することを可能にする光学部品がレンズであるために、パララックスバリア方式に比べて明るい表示を実現できる。
【０１３５】
図２１は、液晶レンズ方式の立体映像表示装置１０B′におけるカラー表示対応の場合の、実施例２に係る画素構成例（Ａ）、及び、右眼用、左眼用の画素Ｒ，Ｌの配列と液晶レンズとの相対的な位置関係（Ｂ）を示す図である。本実施例２に係る画素構成例は、第１実施形態の実施例３に係る画素構成例（図８を参照）と同じである。
【０１３６】
すなわち、実施例２に係る画素２０Cにおいて、バックライト１３からの照射光によって表示を行う透過部２１と、外光を反射することによって表示を行う反射部２２とが、副画素２０R，２０G，２０B毎に平行に設けられている。具体的には、透過部２１及び反射部２２は、副画素２０R，２０G，２０B毎に、これら副画素２０R，２０G，２０Bの配列方向と直交する方向、即ち、画素配列の行方向に沿って平行に形成されている。すなわち、透過部２１及び反射部２２は、副画素２０R，２０G，２０Bの長辺方向に対して平行に配置されている。
【０１３７】
図２１（Ｂ）は、ある画素行における右眼用、左眼用の画素Ｒ，Ｌの配列と液晶レンズ３７との相対的な位置関係を示している。図２１（Ｂ）から明らかなように、液晶レンズ３７は、かまぼこ型のストライプ状の凸レンズの各々が、隣り合う右眼用の画素Ｒの画素列と左眼用の画素Ｌの画素列の２つの画素列を単位として対応するように設けられる（２視差方式の場合）。
【０１３８】
上述したように、実施例２では、画素２０C内において、透過部２１及び反射部２２を副画素２０R，２０G，２０B毎に、これら副画素２０R，２０G，２０Bの長辺に対して平行に設けた画素構成を採っている（図２１（Ａ）を参照）。すなわち、透過部２１及び反射部２２は、画素２０C内において、画素中心に関して左右対称に設けられている。そして、液晶レンズ３７を、１つのストライプ状の凸レンズが隣り合う左右の２つの画素列を単位として対応するように設けている（図２１（Ｂ）を参照）。
【０１３９】
このような実施例２に係る画素構成及び画素２０Cと液晶レンズ３７の個々の凸レンズとの相対的な位置関係によれば、図２２に示すように、画素２０Cの透過部２１及び反射部２２A，２２Bが、観察者の視認位置に対して行方向において左右対称に設けられる。これにより、右眼用の画素Ｒの透過部２１Rを透過した輝度情報及び反射部２２R（２２A，２２B）で反射した輝度情報と、左眼用の画素Ｌの透過部２１Lを透過した輝度情報及び反射部２２L（２２A，２２B）で反射した輝度情報とが観察者の両眼に均等に入射する。
【０１４０】
すなわち、観察者の両眼に入射する右眼用及び左眼用の各輝度情報が左右均等となるため、クロストークを抑えることができる。その結果、右眼用及び左眼用の各輝度情報を両眼で均等に知覚できるため、立体画像の視認性を向上できる。しかも、表示パネルによって表示された複数の視差映像を立体的に知覚することを可能にする光学部品として液晶レンズ３７を用いていることで、３次元画像の表示と２次元画像の表示とを選択的に実現できる。
【０１４１】
＜３．変形例＞
上記実施形態では、画面を構成する最小単位である、１つの画素２０が、Ｒ，Ｇ，Ｂの３つの副画素２０R，２０G，２０Bによって構成される場合を例に挙げたが、１つの画素２０としては、Ｒ，Ｇ，Ｂの３原色の副画素の組み合わせに限られるものではない。具体的には、３原色の副画素に更に１色あるいは複数色の副画素を加えて１つの画素を構成することも可能である。例えば、輝度向上のために白色光の副画素を加えて１つの画素を構成したり、色再現範囲を拡大するために補色光の少なくとも１つの副画素を加えて１つの画素を構成したりすることも可能である。
【０１４２】
＜４．適用例＞
以上説明した本発明による立体映像表示装置は、電子機器に入力された映像信号、または、電子機器内で生成した映像信号を、画像若しくは映像として表示するあらゆる分野の電子機器の表示装置に適用することが可能である。一例として、図２３〜図２７に示す様々な電子機器、例えば、デジタルカメラ、ノート型パーソナルコンピュータ、携帯電話等の携帯端末装置、ビデオカメラなどの表示装置に適用することが可能である。デジタルカメラ、ノート型パーソナルコンピュータ、携帯端末装置、ビデオカメラ以外にも、表示装置を備えるゲーム機なども電子機器に含まれる。
【０１４３】
このように、あらゆる分野の電子機器の表示装置として本発明による立体映像表示装置を用いることにより、視認性に優れた立体画像の表示を実現できる。すなわち、先述した各実施形態の説明から明らかなように、本発明による立体映像表示装置は、右眼用及び左眼用の各輝度情報を両眼で均等に知覚できるようにすることができる。従って、あらゆる分野の電子機器の表示装置において、立体画像の視認性を向上できる。また、３次元画像の表示と２次元画像の表示との切り替えも可能である。
【０１４４】
［電子機器］
以下に、本発明が適用される電子機器の具体例について説明する。
【０１４５】
図２３は、本発明が適用されるテレビジョンセットの外観を示す斜視図である。本適用例に係るテレビジョンセットは、フロントパネル１０２やフィルターガラス１０３等から構成される映像表示画面部１０１を含み、その映像表示画面部１０１として本発明による表示装置を用いることにより作製される。
【０１４６】
図２４は、本発明が適用されるデジタルカメラの外観を示す斜視図であり、（Ａ）は表側から見た斜視図、（Ｂ）は裏側から見た斜視図である。本適用例に係るデジタルカメラは、フラッシュ用の発光部１１１、表示部１１２、メニュースイッチ１１３、シャッターボタン１１４等を含み、その表示部１１２として本発明による表示装置を用いることにより作製される。
【０１４７】
図２５は、本発明が適用されるノート型パーソナルコンピュータの外観を示す斜視図である。本適用例に係るノート型パーソナルコンピュータは、本体１２１に、文字等を入力するとき操作されるキーボード１２２、画像を表示する表示部１２３等を含み、その表示部１２３として本発明による表示装置を用いることにより作製される。
【０１４８】
図２６は、本発明が適用されるビデオカメラの外観を示す斜視図である。本適用例に係るビデオカメラは、本体部１３１、前方を向いた側面に被写体撮影用のレンズ１３２、撮影時のスタート／ストップスイッチ１３３、表示部１３４等を含み、その表示部１３４として本発明による表示装置を用いることにより作製される。
【０１４９】
図２７は、本発明が適用される携帯端末装置、例えば携帯電話機を示す外観図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。本適用例に係る携帯電話機は、上側筐体１４１、下側筐体１４２、連結部（ここではヒンジ部）１４３、ディスプレイ１４４、サブディスプレイ１４５、ピクチャーライト１４６、カメラ１４７等を含んでいる。そして、ディスプレイ１４４やサブディスプレイ１４５として本発明による表示装置を用いることにより本適用例に係る携帯電話機が作製される。
【符号の説明】
【０１５０】
１０A，１０B…立体映像表示装置、１１（１１A，１１B，１１C，１１D）…半透過型液晶パネル、１２…パララックスバリア、１３…バックライト、２０（２０A，２０B，２０C，２０D）…画素、２０R，２０G，２０B…Ｒ（赤），Ｇ（緑），Ｂ（青）の副画素、３６…レンチキュラーレンズ、３７…液晶レンズ
【図１】
0005607430.tif 000002
【図２】
0005607430.tif 000003
【図３】
0005607430.tif 000004
【図４】
0005607430.tif 000005
【図５】
0005607430.tif 000006
【図６】
0005607430.tif 000007
【図７】
0005607430.tif 000008
【図８】
0005607430.tif 000009
【図９】
0005607430.tif 000010
【図１０】
0005607430.tif 000011
【図１１】
0005607430.tif 000012
【図１２】
0005607430.tif 000013
【図１３】
0005607430.tif 000014
【図１４】
0005607430.tif 000015
【図１５】
0005607430.tif 000016
【図１６】
0005607430.tif 000017
【図１７】
0005607430.tif 000018
【図１８】
0005607430.tif 000019
【図１９】
0005607430.tif 000020
【図２０】
0005607430.tif 000021
【図２１】
0005607430.tif 000022
【図２２】
0005607430.tif 000023
【図２３】
0005607430.tif 000024
【図２４】
0005607430.tif 000025
【図２５】
0005607430.tif 000026
【図２６】
0005607430.tif 000027
【図２７】
0005607430.tif 000028
【図２８】
0005607430.tif 000029
【図２９】
0005607430.tif 000030
【図３０】
0005607430.tif 000031
【図３１】
0005607430.tif 000032
【図３２】
0005607430.tif 000033